(57)【特許請求の範囲】
【請求項１】
射出成型機により射出成型される成形品と、
この成形品と大きさが異なり、成型後に前記成形品から分離されるランナーと、
前記成形品及び当該成形品から分離されたランナーとを一方向に移送する移送路と、
この移送路から前記成形品とランナーとのいずれか小さい方のみが通過できる隙間を隔てて配置され、駆動源により回転するドラムと、
このドラムの外周に形成され、前記成形品とランナーとのいずれか大きい方を、前記移送路の移送方向と交差する向きに移動する螺旋状の突条とを備えた成形品の仕分け装置において、
上記ドラムの外周には、前記突条の形成箇所以外の箇所に、前記成形品又はランナーに振動を加える凹部と凸部とを交互に設け、
前記凹部と前記凸部とは、前記ドラムの回転軸と平行に延び、
前記成形品の最高高さを、ランナーの最小高さより低く設定し、
前記移送路と前記ドラムとの間隔を、前記ランナーの最小高さより狭く設定していることを特徴とする成形品の仕分け装置。
【請求項２】
凸部の突出高さを、突条の突出高さより低く設定したことを特徴とする請求項１記載の成形品の仕分け装置。
【発明の詳細な説明】
【０００１】
【発明の属する技術分野】
この発明は、成形品の仕分け装置に関し、成形品の回収率を改善できるようにしたものである。
【０００２】
【従来の技術】
従来、この種の成形品の仕分け装置は、射出成型機より排出された成形品及び成形品から分離されたランナーとを一方向に移送する移送路と、この移送路の途中に位置し、成形品の最小高さ以上で、かつランナーの最小高さ未満の間隔で前記移送路から上方に離れ、駆動源により回転するドラムと、このドラムの外周に形成され、ランナーを前記移送路の移送方向と交差する向きに移動する螺旋状の突条とを備えていた（例えば実公昭61-27707号公報、実開昭56-118013号公報等）。
【０００３】
投入された成形品は、移送路とドラムとの間隔内を通過することができる。
これに対し、ランナーは、成形品よりも大きいので、移送路とドラムとの間隔内を通過することができずに、回転するドラムに設けた突条により、移送路の移送方向と交差する向きに移動する。
したがって、成形品は、移送路により移送されて回収されるとともに、ランナーは、移送路外に排出されて、成形品とランナーとが分離される。
【０００４】
【発明が解決しようとする課題】
しかし、上記した従来の仕分け装置では、成形品の回収率が低いという問題点があった。
すなわち、成形品とランナーとが絡まっていることがあり、このように絡まっていると、成形品が移送路とドラムとの間隔内を通過することができずに、ランナーと共に移送路外に排出されてしまうことがあった。
【０００５】
そこで、請求項１記載の発明は、上記した従来の技術の有する問題点に鑑みてなされたものであり、その目的とするところは次の点にある。
すなわち、請求項１記載の発明は、成形品の回収率を改善できるようにした成形品の仕分け装置を提供しようとするものである。
これに加えて、請求項１記載の発明は、凹凸部を交互に設けることで、成形品とランナーとの絡み合いを、効率的にほぐせるようにしたものである。
【０００６】
請求項２記載の発明は、上記した請求項１の発明の目的に加え、次の点を目的とする。
すなわち、請求項２記載の発明は、突条と凸部との高さを変えることで、相互干渉を防止できるようにしたものである。
【０００７】
【課題を解決するための手段】
（特徴点）
本発明は、上記した目的を達成するためのものであり、以下にその内容を図面に示した実施例に基づいて説明する。
請求項１記載の発明は、次の点を特徴とする。
【０００８】
第一に、ドラム(40)の外周には、例えば図６に示すように、突条(90)の形成箇所以外の箇所に、成形品(20)又はランナー(30)に振動を加える、凹部(100)と凸部(110)とを交互に設ける。
第二に、凹部(100)と凸部(110)とは、例えば図２及び図５に示すように、ドラム(40)の回転軸(42)と平行に延びる。
【０００９】
第三に、成形品(20)の最高高さを、ランナー(30)の最小高さより低く設定する。
第四に、移送路（例えばベルトコンベア50及び傾斜板60）とドラム(40)との間隔を、ランナー(30)の最小高さより狭く設定する。
請求項２記載の発明は、上記した請求項１記載の発明の特徴点に加え、次の点を特徴とする。
【００１０】
すなわち、凸部(110)の突出高さを、例えば図６に示すように、突条(90)の突出高さより低く設定している。
（作用）
つぎに、上記した特徴点を備えた各請求項にそれぞれ記載された各発明の作用について、以下に説明する。
【００１１】
請求項１記載の発明によれば、次のような作用を奏する。
すなわち、ドラム(40)が回転すると、ランナー(30)は、例えば図１に示すように、ドラム(40)の外周に形成された螺旋状の突条(90)により、移送路（例えばベルトコンベア50及び傾斜板60）と交差する方向に搬送される。
このとき、成形品(20)が、ランナー(30)とが絡み合っていると、成形品(20)は、単独の場合に比較して大きいので、ドラム(40)と移送路（例えばベルトコンベア50及び傾斜板60）との間隔内を通過できず、ランナー(30)に絡み合ったまま、移送路（例えばベルトコンベア50及び傾斜板60）と交差する方向に搬送されてしまう。
【００１２】
しかし、搬送中に、成形品(20)又はランナー(30)は、ドラム(40)の外周に形成された凹凸部(100,110)のいずれか一方に接触する。
このため、成形品(20)又はランナー(30)が、凹凸部(100,110)のいずれか一方により振動されるため、成形品(20)とランナー(30)との絡み合いが次第にときほぐされる。
【００１３】
例えば、ランナー(30)が凹部(100)に接触すると、ドラム(40)の回転により、凹部(100)に引っ掛かるようにして、姿勢が変わる。
また、ランナー(30)が、凸部(110)に接触すると、ドラム(40)の回転により、凸部(110)にはじかれて姿勢が変わる。
このように、ランナー(30)の姿勢が変わることで、成形品(20)とランナー(30)との絡み合いが次第にときほぐされる。
【００１４】
こうして、成形品(20)がときほぐされると、当該成形品(20)は、例えば図７に示すように、ドラム(40)と移送路（例えばベルトコンベア50及び傾斜板60）との間隔内を通過可能となる。
請求項２記載の発明によれば、上記した請求項１記載の発明の作用に加え、次のような作用を奏する。
【００１５】
すなわち、凸部(110)の突出高さを、例えば図６に示すように、突条(90)の突出高さより低く設定していることから、凸部(110)によりランナー(30)の姿勢が変わりながらも、突条(90)により、移送路（例えばベルトコンベア50及び傾斜板60）の移送方向と交差する向きに、ランナー(30)を移動することができる。
なお、逆に凸部(110)の方が高いと、ランナー(30)をはじくばかりで、効率良くランナー(30)を移送できない。
【００１６】
【発明の実施の形態】
（図面の説明）
図１〜７は、本発明の実施の形態の一例を示すものである。
図１は、成形品の仕分け装置の一部欠截した斜視図、図２は仕分け装置の正面図、図３は仕分け装置の平面図、図４は仕分け装置の縦断面図、図５はドラムの平面図、図６はドラムの側面図及び一部拡大図、図７は仕分け装置の使用状態を示す一部拡大図をそれぞれ示す。
（成形品の仕分け装置）
図１中、10は、仕分け装置10を示し、この仕分け装置10は、図示しないが、射出成型機より排出された成形品20及びこの成形品20から分離れたランナー30とを一方向に移送する移送路と、この移送路の途中に位置し、移送路から上方に離れて、駆動源であるモータ41等により回転するドラム40とを備えている。
（成形品，ランナー）
上記成形品20の大きさは、ランナー30より小さく設定されている。具体的には、成形品20の最小高さを、少なくともランナー30の最小高さより低く設定している。
【００１７】
また、成形品20とランナー30との大きさの差は、大きいほど両者の仕分けが容易である。すなわち、成形品20の最高高さを、ランナー30の最小高さより低くし、移送路とドラム40との間隔をランナー30の最小高さより狭く設定すれば、成形品20がより一層、スムーズに流れるようにできる。
なお、逆に成形品20の最小高さを、ランナー30の最小高さより高く設定しても良い。この場合には、ランナー30がドラム40の下を通過し、成形品20は、ドラム40により移送路と交差する向きに移動される。
【００１８】
前記ランナー30は、図示しないが、いわゆるスプルーランナーであって、成型時には、成形品20とつながっていて、成型後に成形品20から分離される。
（移送路）
前記移送路は、具体的には、図１，４に示すように、成形品20及びランナー30を揚送するベルトコンベア50と、このベルトコンベア50の傾斜上端部の下方から、下り傾斜して設けられた傾斜板60とから構成されている。
（ベルトコンベア）
上記ベルトコンベア50は、図１，４に示すように、基台70上に上り傾斜して設置されていて、傾斜下端部には、上側のベルト51の上面から上方に向かって端部ストッパ52が取り付けてあり、幅方向の両側の基台70には、それぞれベルトコンベア50の両側を塞ぐように、板状のサイドストッパ53が取り付けてある。前記端部ストッパ52とサイドストッパ53とにより、揚送する成形品20及びランナー30がベルトコンベア50からこぼれ落ちることを防止している。
【００１９】
上記サイドストッパ53の一側には、図１に示すように、成形品20及びランナー30を投入するための切欠部54が設けてある。
なお、サイドストッパ53は、それぞれベルトコンベア50の幅方向に移動可能に、基台70に取り付けることが好ましい。そして、サイドストッパ53をベルトコンベア50の幅方向に移動させて、ベルトコンベア50とサイドストッパ53との隙間を無くすことにより、揚送する成形品20及びランナー30がこぼれ落ちることを防止することができる。
（傾斜板）
前記傾斜板60は、図１，４に示すように、ベルトコンベア50の傾斜上端部の下方から、下り傾斜するととともに、傾斜上端部側の幅方向の両端部を支点として上下に旋回可能に設けられた板状の部材から構成され、その傾斜下端部側の下面の幅方向のほぼ中央が、基台70から上方に向かって高さ調節可能に取り付けた支柱61の先端部により支持されている。
【００２０】
そして、傾斜板60の傾斜上端部側が、図１，４に示すように、ベルトコンベア50で揚送されてきた成形品20及びランナー30の投入部62となり、傾斜下端側が、分離した成形品20を滑り落とすシューター63となっている。
なお、傾斜板60の下面を支持する支柱61は、図示しないが、四角柱状の部材から構成し、傾斜板60の下面には、この支柱61の上端部がはまり込む四角形の取付穴を設けて、支柱61の上端部と傾斜板60とを連絡することが好ましい。このように、支柱61を四角柱状とするとともに、支柱61の上端部を四角形の取付穴にはめ込むことにより、傾斜板60を下面から確実に支持して、傾斜板60の変位を最小限に抑えることができる。
【００２１】
また、傾斜板60は、図面に示した傾斜角度のものに限定されず、ほぼ垂直方向に傾斜させても良い。
（シューター）
前記シューター63は、図１に示すように、傾斜下端部に向かって幅方向に縮径していて、幅方向の両側には、集合板64が上方に向かって設けてある。前記集合板64により、シューター63の幅方向の両側から成形品20がこぼれ落ちることを防止することができる。
（ドラム）
前記ドラム40は、図１〜５に示すように、回転軸42の両端部を、傾斜板60の幅方向の両側の基台70から上方に向かってそれぞれ設けた支持板43に軸止めすることにより、傾斜板60上に、成形品20の最小高さ以上で、かつランナー30の最小高さ未満の間隔で傾斜板60から上方に離れて、回転可能に取り付けられている。
【００２２】
このドラム40と傾斜板60との間隔を調節するには、上記した傾斜板60の下面を支持する支柱61の高さを調節すれば良い。
すなわち、支柱61の高さを高くすることにより、傾斜板60の傾斜下端が上方に向かって押し上げられ、ドラム40と傾斜板60との間隔を小さくすることができる。一方、支柱61の高さを低くすることにより、傾斜板60の傾斜下端が下方に向かって下がり、ドラム40と傾斜板60との間隔を大きくすることができる。
【００２３】
また、回転軸42の一端部には、図２，３に示すように、減速ギア44が取り付けてあり、この減速ギア44に、駆動源であるモータ41（図４参照）の駆動軸が連結されている。
したがって、モータ41を駆動することにより、ドラム40を回転させることができる。また、ドラム40の回転方向は、図４に矢印で示したように、時計回りとなるように、モータ41を回転させている。
【００２４】
また、ドラム40の上方の投入部62側には、図１〜４に示すように、左右の支持板43,43間に飛散防止板80が取り付けてある。この飛散防止板80により、成形品20とランナー30が、ドラム40の上方へ飛び出ることを防止できる。
（突条）
前記ドラム40の外周には、図５，６に示すように、成形品20とランナー30を傾斜板60の移送方向と交差する向きに移動する螺旋状の突条90が形成されている。
【００２５】
上記突条90は、断面が半円形に突出し、例えば図１において手前側から奥側に向かって右巻きに巻回されている。具体的には、ドラム40の外周面から突条90の頂点迄の高さを、約２．５ｍｍに設定している。
したがって、図１において、ドラム40が時計回りに回転すると、成形品20とランナー30は、奥側から手前側に向かって移送される。
【００２６】
なお、突条90を半円形に突出させたが、半円形に限らず、矩形に突出させても良い。また、突条90の巻回方向も、右巻きに限らず、左巻きであっても良い。さらに、突条90が螺旋状に一連につながっているが、間欠的に設けても良い。
（凹凸部）
前記ドラム40の外周には、図５〜７に示すように、突条90の形成箇所以外の箇所に、ランナー30に振動を加える凹部100と凸部110とを交互に設けている。
【００２７】
なお、凹部100と凸部110とのいずれか一方のみをドラム40の外周に設けても良い。
前記凹部100は、図６，７に示すように、断面半円形に凹み、ドラム40の回転軸42と平行に延びている。具体的には、ドラム40の外周面から凹部100の底まで最大深さを、約１〜１．２５ｍｍに設定している。
【００２８】
なお、凹部100を半円形に凹ませているが、半円形に限らず、矩形に凹ませても良い。また、凹部100は、ドラム40の軸と平行に延びているが、間欠的に設けても良い。
前記凸部110は、図６，７に示すように、断面半円形に突出し、ドラム40の回転軸42と平行に延びている。具体的には、ドラム40の外周面から凸部110の頂点迄の高さを、約１．５ｍｍに設定し、凸部110の高さを、突条90の高さより低く設定している。また、凸部110の高さは、前記凹部100の深さより高く設定され、逆に言うと、凹部100の深さが凸部110の高さより浅くなっている。
【００２９】
凸部110を突条90より低くしたのは、螺旋状の突条90によりランナー30を効率良く移送することができるようにするためである。
すなわち、凸部110の高さを、突条90の高さ以上に設定すると、成形品20が凸部110にはじかれて、突条90と接触し難くなり、成形品20が突条90により移送され難くなる。これに対し、凸部110の高さを、突条90の高さ未満に設定すると、成形品20が凸部110にはじかながらも、突条90と接触する機会を増加することができる。
【００３０】
なお、凸部110を半円形に突出させたが、半円形に限らず、矩形に突出させても良い。また、凸部110は、ドラム40の軸と平行に延びているが、間欠的に設けても良い。
（使用方法）
つぎに、上記した構成を備えた仕分け装置10の使用方法について説明する。
【００３１】
射出成型機（図示せず）で射出成型された成形品20とランナー30とを、図１に示すように、サイドストッパ53の切欠部54からベルトコンベア50上に投入する。
このとき、成形品20とランナー30とは、相互に分離している。
ベルトコンベア50上に投入された成形品20とランナー30とは、その傾斜下端部から傾斜上端部に向かって揚送される。
【００３２】
その後、成形品20とランナー30とは、ベルトコンベア50の傾斜下端部から傾斜板60の投入部62に落下し、その下り傾斜により、傾斜板60上をドラム40に向かって滑り落ちる。
そして、ドラム40の位置にまで達した成形品20は、図７に示すように、その姿勢が最小高さとなっている場合（例えば成形品21）には、ドラム40と傾斜板60との間隔内を通過してシューター63内に入り、更にシューター63上を滑り落ちて、シューター63の傾斜下端部から回収される。
【００３３】
上記シューター63の傾斜下端部に、図示しないが、回収箱等を設置しておけば、ランナー30と分離された成形品20を回収することができる。
また、最小高さとなっていない成形品20（例えば成形品22）やランナー30、或いは絡み合った成形品20とランナー30は、図７に示すように、ドラム40の回転に伴って、ドラム40の外周に設けた凹部100により引っ掛けられたり、ドラム40の外周に設けた凸部110によりはじかれたりして、その姿勢を変化させ、或いは絡み合いが解かれながら、螺旋状の突条90により傾斜板60の幅方向に移送される。
【００３４】
そして、最小高さとなる姿勢になった成形品20（例えば成形品21）は、ドラム40と傾斜板60との間隔内を通過してシューター63内に入り、更にシューター63上を滑り落ちて、シューター63の傾斜下端部から回収される。
一方、ランナー30は、ドラム40と傾斜板60との間隔内を通過することができないので、螺旋状の突条90により、さらに傾斜板60の幅方向に移送され、ドラム40の端部（図１〜４において右側の端部）に達して傾斜板60の外に排出される。
【００３５】
上記ドラム40の端部に、図示しないが、ランナー回収箱等を設置しておけば、成形品20と分離されたランナー30を回収することができる。
【００３６】
【発明の効果】
本発明は、以上のように構成されているので、以下に記載されるような効果を奏する。
請求項１記載の発明によれば、次のような効果を奏する。
すなわち、請求項１記載の発明によれば、成形品の回収率を改善できるようにした成形品の仕分け装置を提供することができる。
【００３７】
これに加えて、請求項１記載の発明によれば、凹凸部を交互に設けることで、成形品とランナーとの絡み合いを、効率的にほぐせるようにできる。
請求項２記載の発明によれば、上記した請求項１記載の発明の効果に加え、次のような効果を奏する。
すなわち、請求項２記載の発明によれば、突条と凸部との高さを変えることで、相互干渉を防止することができる。
【図面の簡単な説明】
【図１】  成形品の仕分け装置の一部欠截した斜視図である。
【図２】  仕分け装置の正面図である。
【図３】  仕分け装置の平面図である。
【図４】  仕分け装置の縦断面図である。
【図５】  ドラムの平面図である。
【図６】  ドラムの側面図及び一部拡大図である。
【図７】  仕分け装置の使用状態を示す一部拡大図である。
【符号の説明】
10  仕分け装置        20〜22  成形品
30  ランナー          40  ドラム
41  モータ            42  回転軸
43  支持板            44  減速ギア
50  ベルトコンベア    51  ベルト
52  端部ストッパ      53  サイドストッパ
54  切欠部            60  傾斜板
61  支柱              62  投入部
63  シューター        64  集合板
70  基台              80  飛散防止板
90  突条             100  凹部
110  凸部
【図１】
0003703113.tif 000002
【図２】
0003703113.tif 000003
【図３】
0003703113.tif 000004
【図４】
0003703113.tif 000005
【図５】
0003703113.tif 000006
【図６】
0003703113.tif 000007
【図７】
0003703113.tif 000008